(57)【要約】      （修正有）【課題】脊椎矯正運動を正確かつ効果的に行うことができる脊椎矯正用運動器具を提供する。【解決手段】脊椎矯正用運動器具は、シート部１０、背もたれ部２０、脚部および脊椎運動部から構成される脊椎矯正用運動椅子１００と、足置き台２００とを備え、脊椎運動部５０は、背もたれ部の真ん中に上下に垂直に設けられる長孔に設置されるスクリュー軸部５１と、スクリュー軸部の上、下端部に設けられ、スクリュー軸部を回転作動するように支持する上、下軸支持部５２、５２’と、スクリュー軸部を回転作動させるように固設される回転作動具５３と、スクリュー軸部に螺合され、患者の病変部位の位置に応じてスクリュー軸部の回転作動によって昇降移動する昇降移動具５５と、昇降移動具の前方に結合され、ユーザーが体を前後に動かすことにより、上部腰椎２番の左右横突起のみを前方に押して圧迫しながら脊椎矯正運動を行う一つの横突起加圧具５６とから構成される。【選択図】図７
0003224958.tif 000002
【実用新案登録請求の範囲】
【請求項１】
シート部、背もたれ部、脚部および脊椎運動部から構成される脊椎矯正用運動椅子と、足置き台とを含んでなる脊椎矯正用運動器具において、
前記脊椎運動部は、前記背もたれ部の真ん中に上下に垂直に設けられる長孔に設置されるスクリュー軸部と、前記スクリュー軸部の上、下端部に設けられ、前記スクリュー軸部を回転作動するように支持する上、下軸支持部と、前記スクリュー軸部を回転作動させるように固設される回転作動具と、前記スクリュー軸部に螺合され、患者の病変部位の位置に応じて前記スクリュー軸部の回転作動によって昇降移動する昇降移動具と、前記昇降移動具の前方に結合され、ユーザーが体を前後に動かすことにより、上部腰椎２番の左右横突起のみを前方に押して圧迫しながら脊椎矯正運動を行う一つの横突起加圧具とから構成され、ユーザーが前記回転作動具を手動で回転操作することにより、一つの前記横突起加圧具の左右突出部が上部腰椎２番の横突起のみに接触する位置に一つの前記横突起加圧具の高さを正確に手動で調節するように構成され、
前記足置き台は、ユーザーが前記脊椎矯正用運動椅子に座って膝関節と股関節を最大に屈曲させることにより、下部腰椎を屈曲姿勢に維持するように足を乗せておくことを特徴とする脊椎矯正用運動器具。
【請求項２】
前記横突起加圧具は、ユーザーが上部腰椎２番の左右横突起を前方に押して圧迫する左右突出部と、前記左右突出部の間に設けられ、上部腰椎２番の棘突起を収容する凹溝部とを備えることを特徴とする、請求項１に記載の脊椎矯正用運動器具。
【請求項３】
前記横突起加圧具は、ユーザーがリラックスした状態で脊椎矯正運動を行うことができるように、左右突出部の下に、ユーザーの腰を支える傾斜部をさらに備え、前記横突起加圧具の全体形状がくさび形状であることを特徴とする、請求項２に記載の脊椎矯正用運動器具。
【請求項４】
前記回転作動具は、前記スクリュー軸部に外挿される挿入管と、前記挿入管の外側に突出する回転突起とからなり、前記スクリュー軸部に固定ボルトで固定結合して一緒に回転作動するように構成されることを特徴とする、請求項１に記載の脊椎矯正用運動器具。
【請求項５】
前記昇降移動具は、両側方に、前記スクリュー軸部の回転作動時に昇降案内具の案内溝に沿って昇降案内されるように案内突起を備えることを特徴とする、請求項１に記載の脊椎矯正用運動器具。
【考案の詳細な説明】
【技術分野】
【０００１】
本考案は、脊椎矯正用運動椅子に座って体を前後に動かすことにより、上部腰椎２番の左右横突起だけを前方に押して背もたれの一つの横突起加圧具に圧迫しながら、脊椎後関節の牽引を誘発させて伸展の動きが増加するようにして、下部腰椎の椎間板変性（ｄｉｓｋ  ｄｅｇｅｎｅｒａｔｉｏｎ）に起因する様々な二次疾患を緩和させる脊椎矯正用運動器具に関し、より詳細には、脊椎矯正用運動椅子の背もたれの真ん中に、一つの横突起加圧具が取り付けられた昇降移動具をスクリュー軸部に螺合した構造で設置することで、患者の脊椎の高さに応じて一つの横突起加圧具を昇降移動調節して、上部腰椎２番の左右横突起のみに横突起加圧具の左右突出部が位置するように正確に手動でセットし、体を前後に動かして上部腰椎２番の左右横突起だけを前方に押して一つの横突起加圧具の左右突出部に圧迫するときに横突起加圧具が定位置を維持しており、脊椎矯正運動を正確かつ効果的に行うことができる脊椎矯正用運動器具に関する。
【背景技術】
【０００２】
現代人は、中高年の年齢に入って脊椎疾患の患者が急激に増えている。
【０００３】
このような脊椎疾患の患者は、高齢化時代により腰椎の椎間板変性が多くなり、このような椎間板変性により二次腰疾患や腰の痛み、下肢の神経麻痺および痛み等が誘発されることにより、幸せであるべき生活の質が大幅に低下した。
【０００４】
また、学生や事務職勤務者の場合、相当の時間を椅子に座って生活するので、下部腰椎に負荷が長時間かけられて下部腰椎の疾患が増えている。
【０００５】
このような脊椎疾患は、様々な種類があるが、例えば、腰椎不安症（Ｓｅｑｍｅｎｔ  ｉｎｓｔａｂｉｌｉｔｙ）、神経根圧迫症候群（Ｎｅｒｖｅ  ｒｏｏｔ  ｃｏｍｐｒｅｓｓｉｏｎ  ｓｙｎｄｒｏｍｅ）、変性脊椎すべり症（Ｄｅｇｅｎｅｒａｔｉｖｅ  ｓｐｏｎｄｙｌｏｌｉｓｔｈｅｓｉｓ）および脊椎管狭窄症（Ｓｐｉｎａｌ  ｓｔｅｎｏｓｉｓ）などがある。
【０００６】
前記腰椎不安症（Ｓｅｑｍｅｎｔ  ｉｎｓｔａｂｉｌｉｔｙ）は、腰椎４番と腰椎５番の間や腰椎５番と骨盤の間で椎間板変性により椎体間隙（Ｓｐａｃｅ）が狭くなり、長時間立っているか座っていると腰やお尻の部位に痛みが現れる。
【０００７】
前記神経根圧迫症候群（Ｎｅｒｖｅ  ｒｏｏｔ  ｃｏｍｐｒｅｓｓｉｏｎ  ｓｙｎｄｒｏｍｅ）は、神経根が通過する孔（ｆｏｒａｍｅｎ）が狭くなり、長時間立っているか歩くときに下肢に痛みが誘発される。
【０００８】
前記変性脊椎すべり症（Ｄｅｇｅｎｅｒａｔｉｖｅ  ｓｐｏｎｄｙｌｏｌｉｓｔｈｅｓｉｓ）は、椎間板変性により一つの分節が前方に滑っている状態であって、女性は腰椎４番、男性は腰椎５番が前方に転位している。臨床症状は、立っているか歩くときに片方の足または両方の足に激しい痛みを誘発させる。
【０００９】
前記脊椎管狭窄症（Ｓｐｉｎａｌ  ｓｔｅｎｏｓｉｓ）も、椎間板変性により屈曲が現れ、脊椎後関節の退行と前縦靭帯または後縦靭帯の肥厚化のために脊椎管の直径が狭くなって生じる。腰を曲げて生活するのが楽で、腰を伸ばして歩いたりすると、両方の足が非常に疲れて痛みが現れ、もはや歩くことができない。しばらく座って腰を曲げると、症状がなくなり、再び歩けるようになる。
【００１０】
このような脊椎疾患の改善のために、運動療法による様々な方法が用いられている
【００１１】
すなわち、前記運動治療方法は、下部腰椎の椎間板変性により様々な二次疾患が生じ、上部腰椎と胸椎・腰椎との間にある分節の動きが失われており、前記上部腰椎と下部胸椎の分節における伸展の動きを増加させると、下部腰椎（Ｌ５−Ｓ１）（Ｌ４−Ｌ５）の間で負荷が減少するため、痛みが緩和するという整形物理学的な脊椎メカニズムに基礎理論を置いている。
【００１２】
前記脊椎疾患を改善するための運動療法の一つである用手療法（Ｍａｎｕａｌ Ｔｈｅｒａｐｙ）も、このような脊椎メカニズムに基づいている。
【００１３】
前記用手療法は、現代人が日常的に使用する椅子の背もたれにテニスボールを位置させ、動きの少ない上部腰椎または下部胸椎の棘突起に接触して体を前後に動かすと、脊椎後関節の牽引を誘発させて伸展の動きが増加し、下部腰椎（Ｌ５−Ｓ１、Ｌ４−５）の椎間板変性に起因する様々な二次疾患の緩和に役立つ運動である。
【００１４】
このとき、足を足置き台の上に乗せ、膝関節と股関節を最大に屈曲させてこそ下部腰椎を楽に屈曲させることができる（Ａｃｔｕａｌ  Ｒｅｓｔｉｎｇ  Ｐｏｓｉｔｉｏｎ）。
しかし、上述した従来の治療方法は、次の問題点があった。
【００１５】
第一に、テニスボールを椅子の背もたれの真ん中に位置させることが非常に難しく、患者によって脊椎の高さが異なり、テニスボールを上部腰椎のいずれかの棘突起のみに正確に位置させることが非常に難しいという問題点があった。
【００１６】
第二に、体を前後に動かしながらテニスボールに上部腰椎（Ｌ２）のいずれかの棘突起だけを圧迫するときにテニスボールが動いて定位置から外れてずれたり背もたれから離れたりすることがあるので、脊椎矯正運動を正確かつ効果的に行うことができないという問題点があった。
【先行技術文献】
【特許文献】
【００１７】
【特許文献１】韓国特許公開第１０−２０１１−００９４５０１号公報
【特許文献２】韓国実用新案公開第２０−２０１０−０００２８９４号公報
【考案の概要】
【考案が解決しようとする課題】
【００１８】
本考案は、上述した従来技術の諸問題点を解決するためになされたもので、その目的は、脊椎矯正用運動椅子の背もたれの真ん中に、一つの横突起加圧具が取り付けられた昇降移動具をスクリュー軸部に螺合した構造で設置することで、患者の脊椎の高さに応じて一つの横突起加圧具を昇降移動調節して、横突起加圧具の左右突出部が上部腰椎２番の左右横突起のみに位置するように正確に手動でセットし、体を前後に動かして上部腰椎２番の左右横突起だけを前方に押して一つの横突起加圧具の左右突出部に圧迫するときに横突起加圧具が定位置を維持しており、脊椎矯正運動を正確かつ効果的に行うことができる脊椎矯正用運動器具を提供することにある。
【課題を解決するための手段】
【００１９】
上記の目的を達成するために、本考案は、シート部、背もたれ部、脚部および脊椎運動部から構成される脊椎矯正用運動椅子と、足置き台とを含んでなる脊椎矯正用運動器具において、前記脊椎運動部は、背もたれ部の真ん中に上下に垂直に設けられる長孔に設置されるスクリュー軸部と、前記スクリュー軸部の上、下端部に設けられ、スクリュー軸部を回転作動するように支持する上、下軸支持部と、前記スクリュー軸部を回転作動させるように固設される回転作動具と、前記スクリュー軸部に螺合され、患者の病変部位の位置に応じてスクリュー軸部の回転作動によって昇降移動する昇降移動具と、前記昇降移動具の前方に結合され、ユーザーが体を前後に動かすことにより、上部腰椎２番の左右横突起のみを前方に押して圧迫しながら脊椎矯正運動を行う一つの横突起加圧具とから構成され、ユーザーが前記回転作動具を手動で回転操作することにより、一つの横突起加圧具の左右突出部が上部腰椎２番の左右横突起のみに接触する位置に一つの横突起加圧具の高さを正確に手動で調節するように構成され、前記足置き台は、ユーザーが前記脊椎矯正用運動椅子に座って膝関節と股関節を最大に屈曲させることにより、下部腰椎を楽に屈曲させることができるように足を乗せておく足置き台から構成されることを特徴とする。
【００２０】
本考案によれば、前記横突起加圧具は、ユーザーが上部腰椎２番の左右横突起を前方に押して圧迫する左右突出部と、前記左右突出部の間に設けられ、上部腰椎の棘突起を収容する凹溝部とを備えることを特徴とする。
【００２１】
本考案によれば、前記横突起加圧具は、ユーザーがリラックスした状態で脊椎矯正運動を行うことができるように、左右突出部の下に、ユーザーの腰を支える傾斜部をさらに備え、横突起加圧具の全体形状がくさび形状であることを特徴とする。
【００２２】
本考案によれば、前記回転作動具は、スクリュー軸部に外挿される挿入管と、前記挿入管の外側に突出する回転突起とからなり、前記スクリュー軸部に固定ボルトで固定結合して一緒に回転作動するように構成されることを特徴とする。
【００２３】
本考案によれば、前記昇降移動具は、両側方に、スクリュー軸部の回転作動時に昇降案内具の案内溝に沿って昇降案内されるように案内突起を備えることを特徴とする。
【００２４】
本考案の特別な技術的特徴は、足置き台を用いて膝関節と股関節を屈曲させて下部腰椎を屈曲姿勢に維持するようにした状態で、上部腰椎２番の左右横突起だけを前方に押して圧迫するように一つの横突起加圧具から構成されるということである。
【００２５】
これにより、神経束を収容するスペースが開いた安定状態で、上部腰椎２番の左右横突起だけを加圧すると、腰椎に痛みが発生しないながらも腰椎を伸展運動させることができるということである。
【００２６】
また、横突起加圧具は、ユーザーが上部腰椎２番の左右横突起を前方に押して圧迫する左右突出部と、前記左右突出部の間に設けられ、上部腰椎２番の棘突起を収容する凹溝部とから構成され、上部腰椎の左右２つの横突起が横突起加圧具の左右２つの突出部を同時に圧迫し、横突起と横突起加圧具は、棘突起とクッションボールに比べて一層広い接触面をもって圧迫するので、一つの棘突起だけを前方に押して一つのクッションボールに圧迫する場合よりも遥かに定位置から外れないため脊椎矯正運動をより正確かつ効果的に行うことができる。
【００２７】
また、従来のマッサージ機とは異なり、一つの横突起加圧具を昇降移動させる理由は、人によって身長が異なるので上部腰椎の高さがすべて異なり、このような状態で上部腰椎２番の左右横突起のみを対象に高さを正確に調節する必要があるためである。このように高さを正確に調節するためには、モータなどの自動制御方式ではなく、人が直接上部腰椎の横突起の位置を確認しながら手動方式で位置を合わせなければならない。
【００２８】
上部腰椎の複数の横突起を同時に押すと痛みが誘発され、様々な副作用を誘発させるので、必ず一つの横突起加圧具の左右突出部が上部腰椎２番の左右横突起のみに接触するようにする。
【００２９】
したがって、本考案は、下部腰椎の椎間板変性に起因する様々な腰疾患（腰椎不安症、脊椎管狭窄症、脊椎すべり症、神経根圧迫症候群など）を改善矯正するために、（１）足置き台を用いて膝関節と股関節を９０度以上屈曲させて下部腰椎を屈曲姿勢に維持した状態で上部腰椎２番の横突起だけを前方に押して圧迫するように一つの横突起加圧具から構成されること、（２）上部腰椎２番の左右２つの横突起が同時に横突起加圧具を圧迫するために、横突起加圧具はユーザーが上部腰椎２番の左右横突起を前方に押して圧迫する左右突出部と、前記左右突出部の間に設けられ、上部腰椎２番の棘突起を収容する凹溝部とから構成されること、（３）上部腰椎２番の横突起だけを対象に高さを正確に手動で調節することを特徴としており、このような構成は、脊椎疾患に対する病理学的知識なしに製造されるマッサージ装置またはあん摩装置には全く開示されていない構成であり、マッサージ装置またはあん摩装置からは全く導出できない構成である。
【考案の効果】
【００３０】
このような本考案は、脊椎矯正用運動椅子に座って下部腰椎が楽に屈曲されるように足を足置き台に乗せた状態で体を前後に動かすことによって、上部腰椎２番の横突起だけを前方に押して背もたれの一つの横突起加圧具に圧迫しながら脊椎後関節の牽引を誘発させて伸展の動きが増加するようにして、下部腰椎の椎間板変性に起因する様々な二次疾患を緩和させる脊椎矯正運動を行うものである。
【００３１】
また、本考案は、神経束を収容するスペースが開いた安定状態で特定の横突起だけを加圧するので、腰椎に痛みが発生させずに腰椎を伸展運動させることができるという効果がある。
【００３２】
特に、脊椎矯正用運動椅子の背もたれの真ん中に、一つの横突起加圧具が取り付けられた昇降移動具をスクリュー軸部に螺合した構造で設置することで、患者の脊椎の高さに応じて一つの横突起加圧具を手動で昇降移動調節して、横突起加圧具の左右突出部が上部腰椎２番の左右横突起のみに位置するように正確に手動でセットし、体を前後に動かして上部腰椎２番の左右横突起だけを前方に押して一つの横突起加圧具の左右突出部に圧迫するときに横突起加圧具が定位置を維持しており、脊椎矯正運動を正確かつ効果的に行うことができるという効果を提供する。
【００３３】
また、本考案は、上部腰椎の左右２つの横突起を前方に押して横突起加圧具の２つの突出部を同時に圧迫し、横突起と横突起加圧具が棘突起とクッションボールに比べて一層広い接触面をもって圧迫するので、一つの棘突起だけを前方に押して一つのクッションボールに圧迫する場合よりも遥かに定位置から外れないため脊椎矯正運動をより正確かつ効果的に行うことができるという効果がある。
【００３４】
つまり、脊椎疾患の患者の運動利便性に加えて、正確かつ効果的な運動が可能であって運動効率性に優れるている。
【００３５】
また、本考案は、棘突起を収容する凹溝部が横突起加圧具の左右突出部の間に設けられ、棘突起が接触しない状態で横突起が横突起加圧具を圧迫することができるように構成され、棘突起があまりにも鋭敏であって痛みを誘発する患者にも脊椎矯正運動を行うことができるようにするという効果がある。
【図面の簡単な説明】
【００３６】
【図１】本考案の脊椎矯正用運動椅子を示す斜視図である。
【図２】図１の側断面図である。
【図３】本考案の要部抜粋斜視図である。
【図４】図３の側断面図である。
【図５】図３の背断面図である。
【図６】図３の他の実施例を示す側断面図である。
【図７】本考案の使用状態を示す側断面図である。
【図８】本考案の横突起加圧具と上部腰椎２番の上面を示す平面図である。
【図９】本考案の横突起加圧具の斜視図である。
【考案を実施するための形態】
【００３７】
以下、本考案の好適な実施形態について添付図面を参照して具体的に説明する。
【００３８】
本考案は、患者が座ることができる脊椎矯正用運動椅子１００と、患者の足を上に載せて膝関節と股関節を最大に屈曲させることにより下部腰椎を楽に屈曲（Ａｃｔｕａｌ  Ｒｅｓｔｉｎｇ  Ｐｏｓｉｔｉｏｎ）させるための足置き台２００とから構成される。
【００３９】
特に、前記脊椎矯正用運動椅子１００は、図１乃至図７に示すように、シート部１０、背もたれ部２０、脚部３０および脊椎運動部５０から構成される。
【００４０】
すなわち、前記脊椎運動部５０は、背もたれ部２０の真ん中に上下に垂直に設けられる長孔２１に設置されるスクリュー軸部５１と、前記スクリュー軸部の上、下端部に設けられ、スクリュー軸部を回転作動するように支持する上、下軸支持部５２、５２’と、前記スクリュー軸部５１を回転作動させるように固設される回転作動具５３と、前記スクリュー軸部５１に螺合され、患者の病変部位の位置に応じてスクリュー軸部の回転作動によって昇降移動する昇降移動具５５と、前記昇降移動具の前方に結合され、ユーザーが体を前後に動かすことによって上部腰椎２番の左右横突起６０、６０’だけを前方に押して圧迫しながら脊椎矯正運動を行う一つの横突起加圧具５６とから構成される。
【００４１】
また、前記横突起加圧具５６は、図８および図９に示すように、ユーザーが上部腰椎２番の左右横突起６０、６０’を前方に押して圧迫する左右突出部５７、５７’と、前記左右突出部５７、５７’の間に設けられ、上部腰椎の棘突起６１を包み込む凹溝部５８とを備え、テニスボールのように外力によって緩衝作動する緩衝反発力を有する材質で形成されるが、前記昇降移動具５５の前面に固設されるのはもとより、脱着、交換設置されるように構成することができる。
【００４２】
棘突起６１を収容する凹溝部５８が左右突出部５７、５７’の間に設けられるべき理由は、脊椎から前方に延びた棘突起６１が横突起加圧具５６に接しない状態で、脊髄から側方に延びた左右横突起６０、６０’が左右突出部５７、５７’に接触するようにして、上部腰椎の左右横突起６０、６０’だけが左右突出部５７、５７’に圧迫できるようにするためである。
【００４３】
また、前記横突起加圧具５６は、図８および図９に示すように、ユーザーがリラックスした状態で脊椎矯正運動を行うことができるように、左右突出部５７、５７’の下に、ユーザーの腰を支える傾斜部５９をさらに備え、横突起加圧具５６の形状がくさび形状であることを特徴とする。
【００４４】
前記上、下軸支持部５２、５２’は、図４に示すように、スクリュー軸部５１の上、下端部に転がりボール５２ａを設け、前記転がりボールがボールハウジング５２ｃ内で転がり作動する構造や、図６に示すように、スクリュー軸部５１の上、下端部をベアリング５２ｂに軸支して回転作動する構造など、様々な構造で形成することができる。
【００４５】
前記回転作動具５３は、スクリュー軸部５１に外挿される挿入管５３ａと、前記挿入管の外側に等角の位置に少なくとも３つ突設され、挿入管を回転させるようにする回転突起５３ｂとからなるが、前記スクリュー軸部５１に固定ボルト５３ｃで固定結合して一緒に回転作動するように構成される。
【００４６】
前記昇降移動具５５は、両側方に、スクリュー軸部５１の回転作動時に昇降案内具５４の案内溝５４ａに沿って昇降案内されるように案内突起５５ａを備える。
【００４７】
その他に、前記シート部１０、背もたれ部２０および脚部３０の形状、構造は、図示された形状、構造に限定されず、様々な形状、構造に変更可能であるのはもとより、それらの単純形状や構造の変更も本考案の権利範囲に属することを明らかにしておく。
【００４８】
以下、このように構成される本考案の作動および作用について説明する。
【００４９】
まず、ユーザーが脊椎矯正用運動椅子１００に座って足を高さのある足置き台２００の上に乗せることにより、膝関節と股関節を最大に屈曲させるので、下部腰椎を樂に屈曲（Ａｃｔｕａｌ  Ｒｅｓｔｉｎｇ  Ｐｏｓｉｔｉｏｎ）させるようにする。
【００５０】
このように下部腰椎の屈曲姿勢を維持してこそ、ユーザーである脊椎疾患の患者の運動中に下部腰椎脊椎管と神経が出てくる穴とが広くなって運動（治療）過程で下部腰椎の痛みが誘発されない。
【００５１】
前記脊椎矯正用運動椅子の脊椎運動部５０において、手動で一つの横突起加圧具５６の位置を上下移動調節することにより、横突起加圧具５６の左右突出部５７、５７’が上部腰椎２番の左右横突起６０、６０’のみに接触することができる位置に移動調節する。
【００５２】
これは、前記脊椎矯正用運動椅子の背もたれ部２０の中央の長孔２１に垂直に軸設されているスクリュー軸部５１を回転させて調節する。
【００５３】
これをより具体的に説明すると、前記スクリュー軸部５１の上部に固設されている回転作動具５３を正、逆回転させることにより、スクリュー軸部５１を正、逆回転作動させる。
【００５４】
この際、前記回転作動具５３は、スクリュー軸部５１に外挿された挿入管５３ａが固定ボルト５３ｃで固設されている。このため、前記挿入管５３ａの外側の回転突起５３ｂを掴んで回転させることにより、回転作動具とスクリュー軸部を一緒に回転操作する。
【００５５】
このように前記スクリュー軸部５１を正、逆回転させると、前記スクリュー軸部５１は、上、下端部に設けられた、ボールハウジング５２ｃに挿入された転がりボール５２ａまたはベアリング５２ｂ構造の上、下軸支持部５２、５２’によって空転しながら正、逆回転する。
【００５６】
このように前記スクリュー軸部５１が正、逆回転しながら、スクリュー軸部５１に螺合されている昇降移動具５５を昇降移動させる。
【００５７】
この時、前記昇降移動具５５は、両側方の案内突起５５ａが昇降案内具５４の案内溝５４ａに沿って案内されて昇降移動しながら、昇降移動具の前方に設置される一つの横突起加圧具５６が脊椎矯正用運動椅子の背もたれ部２０の真ん中の位置でユーザーの脊椎に沿って垂直に昇降移動するので、横突起加圧部５６の左右突出部５７、５７’が上部腰椎２番の左右横突起６０、６０’のみに接触することができる位置に正確に移動調節する。
【００５８】
このような状態でユーザーの体を前後に動かすことによって、脊椎矯正運動を行う。
【００５９】
つまり、前記ユーザーの体を前後に動かして、患者の上部腰椎２番の左右横突起６０、６０’が、背もたれ部の真ん中に位置する一つの横突起加圧具５６の左右突出部５７、５７’を前方に押して圧迫しながら、脊椎後関節の牽引を誘発させて伸展の動きが増加するようにして、下部腰椎の椎間板変性に起因する様々な二次疾患を緩和させる脊椎矯正運動を行う。
【００６０】
特に、前記背もたれ部の真ん中に位置する一つの横突起加圧具５６の左右突出部５７、５７’が患者の脊椎、すなわち患者の上部腰椎２番の左右横突起６０、６０’のみに正確に位置するように簡単にセットされ、体を前後に動かして上部腰椎２番の左右横突起６０、６０’で一つの横突起加圧具５６の左右突出部５７、５７’を圧迫するときに横突起加圧具５６が定位置を維持しているので、従来に比べて脊椎矯正運動を簡単かつ正確に行いながら、優れた脊椎矯正運動効果を得る。
【００６１】
また、横突起加圧具５６は、ユーザーが上部腰椎２番の左右横突起６０、６０’を前方に押して圧迫する左右突出部５７、５７’と、前記左右突出部の間に設けられ、上部腰椎の棘突起を包み込む凹溝部５８とから構成され、上部腰椎の左右２つの横突起６０、６０’を前方に押して左右２つの突出部５７、５７’を圧迫し、横突起と横突起加圧具は、棘突起とクッションボールに比べて一層広い接触面をもって圧迫するので、一つの棘突起だけを前方に押して単一のクッションボールに圧迫する場合よりも遥かに定位置から外れないため脊椎矯正運動をより正確かつ効果的に行うことができる。
【符号の説明】
【００６２】
１０    シート部
２０    背もたれ部
２１    長孔
３０    脚部
５０    脊椎運動部
５１    スクリュー軸部
５２、５２’    上、下軸支持部
５２ａ  転がりボール
５２ｂ  ベアリング
５２ｃ  ボールハウジング
５３    回転作動具
５３ａ  挿入管
５３ｂ  回転突起
５３ｃ  固定ボルト
５４    昇降案内具
５４ａ  案内溝
５５    昇降移動具
５６    横突起加圧具
５７、５７’    左右突出部
５８    凹溝部
５９    傾斜部
６０、６０’    左右横突起
６１    棘突起
２００  足置き台
【図１】
0003224958.tif 000003
【図２】
0003224958.tif 000004
【図３】
0003224958.tif 000005
【図４】
0003224958.tif 000006
【図５】
0003224958.tif 000007
【図６】
0003224958.tif 000008
【図７】
0003224958.tif 000009
【図８】
0003224958.tif 000010
【図９】
0003224958.tif 000011